(57)【特許請求の範囲】
【請求項１】
周囲に存在する障害物を検知する車載センサを搭載した車両の走行計画を生成する走行計画生成装置であって、
複数の前記車両に各々搭載された前記車載センサそれぞれの検知可能領域である車載センサ検知可能領域を取得する車載センサ検知領域取得手段と、
前記車載センサ検知領域取得手段が取得した複数の前記車両に各々搭載された前記車載センサそれぞれの前記車載センサ検知可能領域に応じて、前記車両の走行計画を生成する走行計画生成手段と、
前記車両の仮走行計画を生成する仮走行計画生成手段と、
を備え、
前記走行計画生成手段は、前記仮走行計画生成手段が生成した前記仮走行計画について、前記車載センサ検知領域取得手段が取得した複数の前記車両に各々搭載された前記車載センサそれぞれの前記車載センサ検知可能領域に応じて評価を行い、前記評価の結果が予め定められた基準を満たす前記仮走行計画を前記走行計画とし、
前記基準を満たす前記仮走行計画とは、他の前記仮走行計画に比べて、前記車載センサ検知可能領域及び前記車載センサ検知可能領域からの情報に基づいて障害物の存在を推定可能な領域のいずれかが拡大される前記仮走行計画である、走行計画生成装置。
【請求項２】
複数の前記車両に各々搭載された前記車載センサそれぞれの前記車載センサ検知可能領域同士の重複度を算出する重複度算出手段をさらに備え、
前記走行計画生成手段は、前記重複度算出手段が算出した前記車載センサ検知可能領域同士の重複度に応じて、前記車両の前記走行計画を生成する、請求項１に記載の走行計画生成装置。
【請求項３】
前記走行計画生成手段は、前記重複度算出手段が算出した前記車載センサ検知可能領域同士の重複度を減少させる前記走行計画を生成する、請求項２に記載の走行計画生成装置。
【請求項４】
複数の前記車両に各々搭載された前記車載センサそれぞれの前記車載センサ検知可能領域及び前記車両が走行することのできない走行不可領域のいずれかによって囲まれていない開領域を取得する開領域取得手段をさらに備え、
前記走行計画生成手段は、前記開領域の少なくとも一部を、複数の前記車両に各々搭載された前記車載センサそれぞれの前記車載センサ検知可能領域及び前記車両が走行することのできない走行不可領域のいずれかによって囲まれている閉領域とする前記走行計画を生成する、請求項１〜３のいずれか１項に記載の走行計画生成装置。
【請求項５】
複数の前記車両に各々搭載された前記車載センサそれぞれの前記車載センサ検知可能領域及び前記車両が走行することのできない走行不可領域のいずれかによって囲まれている閉領域内に存在する障害物を推定する車載センサ利用推定手段と、
前記車載センサ利用推定手段による推定の推定誤差を取得する車載センサ利用推定誤差取得手段と、
を備え、
前記走行計画生成手段は、前記車載センサ利用推定誤差取得手段が取得した推定誤差に応じて、前記車両の前記走行計画を生成する、請求項１〜４のいずれか１項に記載の走行計画生成装置。
【請求項６】
前記走行計画生成手段は、前記車載センサ利用推定誤差取得手段が取得した推定誤差を減少させる前記走行計画を生成する、請求項５に記載の走行計画生成装置。
【請求項７】
前記車両が走行する道路上に存在する障害物を検知する道路センサの検知可能領域である道路センサ検知可能領域を取得する道路センサ検知領域取得手段をさらに備え、
前記走行計画生成手段は、前記道路センサ検知領域取得手段が取得した前記道路センサ検知可能領域に応じて、前記車両の走行計画を生成する、請求項１〜６のいずれか１項に記載の走行計画生成装置。
【請求項８】
複数の前記車両に各々搭載された前記車載センサそれぞれの前記車載センサ検知可能領域、前記道路センサの検知可能領域及び前記車両が走行することのできない走行不可領域のいずれかによって囲まれている閉領域に存在する障害物を推定する道路センサ利用推定手段と、
前記道路センサ利用推定手段による推定の推定誤差を取得する道路センサ利用推定誤差取得手段と、
を備え、
前記走行計画生成手段は、前記道路センサ利用推定誤差取得手段が取得した推定誤差を減少させる前記走行計画を生成する、請求項７に記載の走行計画生成装置。
【発明の詳細な説明】
【技術分野】
【０００１】
本発明は走行計画生成装置に関し、特に、周囲に存在する障害物を検知する車載センサを各々搭載した複数の車両の走行計画を生成する走行計画生成装置に関するものである。
【背景技術】
【０００２】
従来、自車両の周囲を走行する車両の位置を検知してユーザーに通知する技術が特許文献１に開示されている。この技術では、自車両に搭載されているレーダ装置により取得された前方車両情報に加え、自車両の周辺を走行中の他車両に搭載されているレーダ装置によって取得された車両情報や当該他車両の位置情報を、車々間通信機を介して取得し、上記前方車両情報及び車々間通信機により取得された通信車両情報が示す車両位置をマッピング領域にマッピングして、車両位置の特定を行う。
【特許文献１】特開２００５−１１５６３７号公報
【発明の開示】
【発明が解決しようとする課題】
【０００３】
上述した技術は、自車両に搭載されたレーダ装置のみでは全方位をカバーすることができないため、車々間通信機により取得された通信車両情報を併せて用いることにより、自車両のレーダ装置の検知可能領域から外れた領域の情報を補うものである。しかしながら、他車両に搭載されているレーダ装置も検知できない領域を有しているため、上記技術では、自車両及び他車両のいずれに搭載されたレーダ装置によっても、検知できていない車両が自車両の周辺に存在しているおそれがある。
【０００４】
本発明は、上記問題点を解消する為になされたものであり、周囲に存在する障害物を検知する車載センサを各々搭載した複数の車両について、障害物の存在を推定する精度を向上させることが可能な走行計画生成装置を提供することにある。
【課題を解決するための手段】
【０００５】
本発明は、周囲に存在する障害物を検知する車載センサを搭載した車両の走行計画を生成する走行計画生成装置であって、複数の車両に各々搭載された車載センサそれぞれの検知可能領域である車載センサ検知可能領域を取得する車載センサ検知領域取得手段と、車載センサ検知領域取得手段が取得した複数の車両に各々搭載された車載センサそれぞれの車載センサ検知可能領域に応じて、車両の走行計画を生成する走行計画生成手段と、車両の仮走行計画を生成する仮走行計画生成手段とを備え、走行計画生成手段は、仮走行計画生成手段が生成した仮走行計画について、車載センサ検知領域取得手段が取得した複数の車両に各々搭載された車載センサそれぞれの車載センサ検知可能領域に応じて評価を行い、評価の結果が予め定められた基準を満たす仮走行計画を走行計画とし、基準を満たす仮走行計画とは、他の仮走行計画に比べて、車載センサ検知可能領域及び車載センサ検知可能領域からの情報に基づいて障害物の存在を推定可能な領域のいずれかが拡大される仮走行計画であることを特徴とする。
【０００６】
この構成によれば、車載センサ検知領域取得手段は複数の車両に各々搭載された車載センサそれぞれの検知可能領域である車載センサ検知可能領域を取得し、走行計画生成手段は車載センサ検知領域取得手段が取得した複数の車両に各々搭載された車載センサそれぞれの車載センサ検知可能領域に応じて、車両の走行計画を生成するため、当該車両は、各々の車両に搭載された車載センサの車載センサ検知可能領域に応じて走行することになり、障害物の存在を推定する精度を向上させることが可能となる。また、この構成によれば、仮走行計画生成手段は車両の仮走行計画を生成し、走行計画生成手段は、仮走行計画生成手段が生成した仮走行計画について、車載センサ検知領域取得手段が取得した複数の車両に各々搭載された車載センサそれぞれの車載センサ検知可能領域に応じて評価を行い、評価の結果が予め定められた基準を満たす仮走行計画を走行計画とするため、走行計画生成手段は車載センサ検知可能領域に応じた評価の基準を満たす良好な走行計画を採用することになり、さらに障害物の存在を推定する精度を向上させることが可能となる。さらに、この構成によれば、走行計画生成手段は、車載センサ検知可能領域及び車載センサ検知可能領域からの情報に基づいて障害物の存在を推定可能な領域のいずれかが拡大される仮走行計画を走行計画とするため、車載センサにより障害物を直接的又は間接的に検知することができる可能性が高くなり、障害物の存在を推定する精度を向上させることが可能となる。
【００１１】
一方、複数の車両に各々搭載された車載センサそれぞれの車載センサ検知可能領域同士の重複度を算出する重複度算出手段をさらに備え、走行計画生成手段は、重複度算出手段が算出した車載センサ検知可能領域同士の重複度に応じて、車両の走行計画を生成することが好適である。
【００１２】
この構成によれば、重複度算出手段は複数の車両に各々搭載された車載センサそれぞれの車載センサ検知可能領域同士の重複度を算出し、走行計画生成手段は、重複度算出手段が算出した車載センサ検知可能領域同士の重複度に応じて、車両の走行計画を生成するため、車両は車載センサ検知可能領域同士の重複度に応じて走行することが可能となる。
【００１３】
この場合、走行計画生成手段は、重複度算出手段が算出した車載センサ検知可能領域同士の重複度を減少させる走行計画を生成することが好適である。
【００１４】
この構成によれば、走行計画生成手段は、重複度算出手段が算出した車載センサ検知可能領域同士の重複度を減少させる走行計画を生成するため、各車両の車載センサの車載センサ検知可能領域同士の重複する部分が少なくなる走行計画を生成することが可能となり、結果として各車両の車載センサによって直接に障害物を検出することができる領域が拡大される。
【００１５】
一方、複数の車両に各々搭載された車載センサそれぞれの車載センサ検知可能領域及び車両が走行することのできない走行不可領域のいずれかによって囲まれていない開領域を取得する開領域取得手段をさらに備え、走行計画生成手段は、開領域の少なくとも一部を、複数の車両に各々搭載された車載センサそれぞれの車載センサ検知可能領域及び車両が走行することのできない走行不可領域のいずれかによって囲まれている閉領域とする走行計画を生成することが好適である。
【００１６】
この構成によれば、開領域取得手段は複数の車両に各々搭載された車載センサそれぞれの車載センサ検知可能領域及び車両が走行することのできない走行不可領域のいずれかによって囲まれていない開領域を取得し、走行計画生成手段は、開領域の少なくとも一部を、複数の車両に各々搭載された車載センサそれぞれの車載センサ検知可能領域及び車両が走行することのできない走行不可領域のいずれかによって囲まれている閉領域とする走行計画を生成するため、障害物の存在を推定することが不可能な開領域を減少させ、障害物の存在を推定することが可能な閉領域とする走行計画を生成することが可能となり、障害物の存在を推定することができる領域を拡大することができる。
【００１７】
また、複数の車両に各々搭載された車載センサそれぞれの車載センサ検知可能領域及び車両が走行することのできない走行不可領域のいずれかによって囲まれている閉領域内に存在する障害物を推定する車載センサ利用推定手段と、車載センサ利用推定手段による推定の推定誤差を取得する車載センサ利用推定誤差取得手段と、を備え、走行計画生成手段は、車載センサ利用推定誤差取得手段が取得した推定誤差に応じて、車両の走行計画を生成することが好適である。
【００１８】
この構成によれば、車載センサ利用推定手段は、複数の車両に各々搭載された車載センサそれぞれの車載センサ検知可能領域及び車両が走行することのできない走行不可領域のいずれかによって囲まれている閉領域内に存在する障害物を推定し、車載センサ利用推定誤差取得手段は、車載センサ利用推定手段による推定の推定誤差を取得して、走行計画生成手段は、車載センサ利用推定誤差取得手段が取得した推定誤差に応じて、車両の走行計画を生成するため、障害物の存在の推定誤差を考慮した走行計画を生成することが可能となる。
【００１９】
この場合、走行計画生成手段は、車載センサ利用推定誤差取得手段が取得した推定誤差を減少させる走行計画を生成することが好適である。
【００２０】
この構成によれば、走行計画生成手段は、車載センサ利用推定誤差取得手段が取得した推定誤差を減少させる走行計画を生成するため、車載センサによる障害物の存在の推定誤差を考慮した走行計画を生成することが可能となり、障害物の存在を推定する精度を向上させることが可能となる。
【００２１】
さらに、車両が走行する道路上に存在する障害物を検知する道路センサの検知可能領域である道路センサ検知可能領域を取得する道路センサ検知領域取得手段をさらに備え、走行計画生成手段は、道路センサ検知領域取得手段が取得した道路センサ検知可能領域に応じて、車両の走行計画を生成することが好適である。
【００２２】
この構成によれば、道路センサ検知領域取得手段は車両が走行する道路上に存在する障害物を検知する道路センサの検知可能領域である道路センサ検知可能領域を取得し、走行計画生成手段は、道路センサ検知領域取得手段が取得した道路センサ検知可能領域に応じて、車両の走行計画を生成するため、道路センサの検知可能領域も考慮した走行計画を生成することが可能となる。
【００２３】
この場合、複数の車両に各々搭載された車載センサそれぞれの車載センサ検知可能領域、道路センサの検知可能領域及び車両が走行することのできない走行不可領域のいずれかによって囲まれている閉領域に存在する障害物を推定する道路センサ利用推定手段と、道路センサ利用推定手段による推定の推定誤差を取得する道路センサ利用推定誤差取得手段と、を備え、走行計画生成手段は、道路センサ利用推定誤差取得手段が取得した推定誤差を減少させる走行計画を生成することが好適である。
【００２４】
この構成によれば、道路センサ利用推定手段は複数の車両に各々搭載された車載センサそれぞれの車載センサ検知可能領域、道路センサの検知可能領域及び車両が走行することのできない走行不可領域のいずれかによって囲まれている閉領域に存在する障害物を推定し、道路センサ利用推定誤差取得手段は道路センサ利用推定手段による推定の推定誤差を取得して、走行計画生成手段は、道路センサ利用推定誤差取得手段が取得した推定誤差を減少させる走行計画を生成するため、道路センサによる障害物の存在の推定誤差を考慮した走行計画を生成することが可能となり、障害物の存在を推定する精度を向上させることが可能となる。
【発明の効果】
【００２５】
本発明の走行計画生成装置によれば、周囲に存在する障害物を検知する車載センサを各々搭載した複数の車両について、障害物の存在を推定する精度を向上させることが可能となる。
【発明を実施するための最良の形態】
【００２６】
以下、本発明の実施の形態に係る走行計画生成装置について添付図面を参照して説明する。図１は、実施形態に係る走行制御装置の構成を示すブロック図である。走行計画生成装置１は、車群を形成する各々の車両に搭載され、周辺監視センサ１０の検知可能領域内に存在する他車両などの障害物を直接検知するとともに、周辺監視センサ１０で検知することができない自車両周辺の領域における他車両の存在を推定し、各々の車両の走行計画を生成する装置である。
【００２７】
そのため、走行計画生成装置１は、自車両周辺に存在する他車両などを検知する周辺監視センサ１０、道路情報や自車両の位置情報などを取得するカーナビゲーションシステム１１、車群を形成する他車両と自車両との間で無線通信により相互に情報を交換すると共に道路インフラセンサからの情報を取得する通信機１４、周辺監視センサ１０、カーナビゲーションシステム１１、及び通信機１４から入力される情報に基づいて、車群を形成する各々の車両周辺の走行環境を検知・推定し、各々の車両の走行計画を生成する電子制御装置（以下「ＥＣＵ」という）２０、ＥＣＵ２０からの指令により車両の各機器を動作させて車両に走行計画に沿った走行を行わせるアクチュエータ３０などを備えている。
【００２８】
周辺監視センサ１０は、自車両の周辺に存在する他車両などの障害物を検知するものである。すなわち、周辺監視センサ１０は特許請求の範囲に記載の車載センサとして機能する。本実施形態では、車両の前後左右それぞれに４台の周辺監視センサ１０を配置し、自車両の前方、後方、左右側方に存在する他車両を検知する構成とした。ただし、４台の周辺監視センサ１０では、自車両の全周をカバーすることができず、自車両の周辺には、周辺監視センサ１０それぞれの検知可能領域（車載センサ検知可能領域）外の領域、すなわち不感領域が存在する。周辺監視センサ１０としては、ミリ波レーダ、レーザレーダ、ステレオカメラ等の画像センサや超音波センサなどが好適に用いられる。なお、異なるセンサを組み合わせて用いてもよい。周辺監視センサ１０とＥＣＵ２０とは、例えばＣＡＮ（Ｃｏｎｔｒｏｌｌｅｒ  Ａｒｅａ  Ｎｅｔｗｏｒｋ）等の通信回線で接続されることにより、相互にデータの交換が可能となるように構成されており、周辺監視センサ１０により検知された他車両の有無や他車両の位置情報などはこの通信回線を介してＥＣＵ２０へ出力される。
【００２９】
ここで、ミリ波レーダやレーザレーダは、ミリ波帯の電波やレーザ光などの検出波を水平方向にスキャンしながら車両の前方へ照射し、他車両などの障害物表面で反射された反射波を受信して、他車両との距離、相対速度および方向を検知するものである。他車両の方向は反射波の角度、距離は電波を発射してから反射波が帰ってくるまでの時間、他車両の速度は反射波の周波数変化（ドップラー効果）を利用して検知する。
【００３０】
ステレオカメラは、他車両などの障害物の画像を取得する一対のＣＣＤカメラと、取得した画像から画像認識によって他車両を検出する画像処理部とを有しており、ＣＣＤカメラが撮像した画像内からエッジ抽出やパターン認識処理などによって他車両を抽出するものである。また、左右の取得画像中における障害物位置の違いを基にして三角測量方式により他車両との距離および自車両からの横変位を求め、前のフレーム時に求めた距離に対する変化量から相対速度を求める。
【００３１】
カーナビゲーションシステム１１は、ＧＰＳ（Global  Positioning  System）１２によって受信されたＧＰＳ衛星信号に基づき自車位置を検出する。また、車速信号に基づいて走行距離を算出すると共に、ジャイロセンサからの信号に応じて車両進行方向を検出する。また、カーナビゲーションシステム１１は、内蔵しているハードディスクやＤＶＤディスクなどの地図情報記憶装置１３から、自車両が走行している道路の車線構成や道路曲率などの道路情報に加えて、自車両が走行している道路の周辺に存在する車両が走行することのできない走行不可領域に関する情報を取得する。カーナビゲーションシステム１１も、ＥＣＵ２０と接続されており、取得された自車位置情報や道路情報、走行不可領域などはＥＣＵ２０へ出力される。
【００３２】
通信機１４は、自車両と他車両との間で無線通信により相互に周辺監視センサ１０の検知結果や検知可能領域などの情報を交換するものである。また、通信機１４は、路側帯等に設置された道路インフラセンサから当該道路インフラセンサの検知結果や検知可能領域などの情報を取得するものである。通信機１４は、他車両から送信された該他車両に搭載されている周辺監視センサの検知結果や検知可能領域情報及び道路インフラセンサの検知結果や検知可能領域情報などを受信する受信機と、自車両に搭載されている周辺監視センサ１０の検知結果や検知可能領域情報などを他車両に送信する送信機とを有して構成されている。
【００３３】
通信機１４とＥＣＵ２０も、上述した通信回線で接続されることにより、相互にデータの交換が可能となるように構成されている。通信機１４により受信された他車両に搭載されている周辺監視センサの検知結果や検知可能領域情報などは通信回線を介してＥＣＵ２０に伝送される。また、自車両に搭載されている周辺監視センサ１０の検知結果や検知可能領域情報などは通信回線を介して通信機１４に伝送される。
【００３４】
ＥＣＵ２０は、ハードウェアとしては、演算を行うマイクロプロセッサ、マイクロプロセッサに各処理を実行させるためのプログラム等を記憶するＲＯＭ、演算結果などの各種データを記憶するＲＡＭ及び１２Ｖバッテリによってその記憶内容が保持されるバックアップＲＡＭ等により構成されている。
【００３５】
図１に示すように、ＥＣＵ２０は、当該プログラムにより実行される機能ブロックとして、検知領域取得部２１、重複度算出部２２、開領域・閉領域取得部２３、物体推定部２４、仮走行計画生成部２５及び走行計画生成部２６を有している。
【００３６】
検知領域取得部２１は、複数の車両に各々搭載された周辺監視センサそれぞれの検知可能領域を取得するためのものである。また、検知領域取得部２１は、道路インフラセンサの検知可能領域を取得するためのものである。すなわち、検知領域取得部２１は、特許請求の範囲に記載の車載センサ検知領域取得手段及び道路センサ検知領域取得手段として機能する。
【００３７】
重複度算出部２２は、車群を形成する複数の車両に各々搭載された周辺監視センサ１０それぞれの検知可能領域同士の重複度を算出するためのものである。すなわち、特許請求の範囲に記載の重複度算出手段として機能する。
【００３８】
開領域・閉領域取得部２３は、車群を形成する複数の車両に各々搭載された周辺監視センサ１０それぞれの検知可能領域、道路インフラセンサの検知可能領域、及び車両が走行することのできない走行不可領域のいずれかによって囲まれていない開領域を取得するためのものである。また、開領域・閉領域取得部２３は、車両に各々搭載された車載センサそれぞれの検知可能領域、道路インフラセンサの検知可能領域、及び車両が走行することのできない走行不可領域のいずれかによって囲まれている閉領域を取得するためのものである。すなわち、開領域・閉領域取得部２３は、特許請求の範囲に記載の開領域取得手段として機能する。
【００３９】
物体推定部２４は、複数の車両に各々搭載された周辺監視センサ１０それぞれの検知可能領域、道路インフラセンサの検知可能領域、及び車両が走行することのできない走行不可領域のいずれかによって囲まれている閉領域に存在する障害物を推定するためのものである。すなわち、物体推定部２４は、特許請求の範囲に記載の車載センサ利用推定手段及び道路センサ利用推定手段として機能する。
【００４０】
また、物体推定部２４は、閉領域に存在する障害物を推定する他に、当該推定の推定誤差を取得する。したがって、物体推定部２４は、特許請求の範囲に記載の車載センサ利用推定手段及び道路センサ利用推定手段として機能する。
【００４１】
仮走行計画生成部２５は、複数の前記車両それぞれの仮走行計画を生成するためのものである。すなわち、仮走行計画生成部２５は、特許請求の範囲に記載の仮走行計画生成手段として機能する。
【００４２】
走行計画生成部２６は、周辺監視センサ１０それぞれの検知可能領域及び道路インフラセンサの検知可能領域に応じて、複数の車両それぞれの走行計画を生成するためのものである。具体的には、走行計画生成部２６は、仮走行計画生成部２５が生成した仮走行計画から、周辺監視センサ１０及び道路インフラセンサの検知可能領域、あるいは周辺監視センサ１０、道路インフラセンサの検知可能領域及び走行不可領域のいずれかによって囲まれている閉領域が拡大するような仮走行計画を採用することにより走行計画を生成する。すなわち、走行計画生成部２６は、特許請求の範囲に記載の走行計画生成手段として機能する。
【００４３】
アクチュエータ３０は、具体的にはスロットル開度を調整するアクセルアクチュエータ、ブレーキの制動量を調整するブレーキアクチュエータ、ステアリングを駆動するステアリングアクチュエータ等からなり、走行計画生成部２６が生成した走行計画に沿って車両を走行させるためのものである。
【００４４】
以下、本実施形態の走行計画生成装置の動作について説明する。
【００４５】
（処理手順１−検知可能領域同士の重複度を減少させる際の動作）
以下、本実施形態の走行計画生成装置における検知可能領域同士の重複度を減少させる際の動作について説明する。図２及び３は、実施形態に係る実施形態に係る走行計画生成装置による検知可能領域同士の重複度を減少させる際の動作を示すフロー図である。なお、以下に説明する処理手順１〜４の処理は、ＥＣＵ２０によって行われるものであり、電源がオンされてからオフされるまでの間、所定のタイミングで繰り返し実行される。
【００４６】
図４は、実施形態に係る走行計画生成装置による検知可能領域同士の重複度を減少させる際の動作を示す平面図である。図４に示すように、周辺監視センサ１０等からなる本実施形態の走行計画生成装置１が搭載された先頭車両ＶＦ、追従車両ＶＭ及び後尾車両ＶＢが、車両が走行することのできない走行不可領域Ｉを両側に有する道路を進行方向ｌに沿って車群をなして走行している。以下の走行計画の生成は、先頭車両ＶＦ、追従車両ＶＭ及び後尾車両ＶＢに搭載された走行計画生成装置１のいずれかが、他の車両の周辺監視センサ１０等の検知結果に基づいて車群を代表して行う。
【００４７】
前提として、以下のような処理により、先頭車両ＶＦ、追従車両ＶＭ及び後尾車両ＶＢの周辺監視センサ１０による検知情報が継続管理されている（Ｓ１０１）。図４に示すような検知・推定対象マップがＥＣＵ２０（又は周辺装置）のメモリ内に確保されており、具体的には、１容量（例えば２バイト）当たり１０ｃｍ四方（１００ｃｍ２）の正方形の単位領域により構成された横５０ｍ縦２００ｍの領域（２Ｍバイト）がメモリ上に配置される。ここで単位領域には、単位領域が走行可能領域であること、車両により占有されている領域であること、周辺監視センサ１０の検知可能領域であること等の情報が取得されるたびに１ずつ数値が加算されて書き込まれる。
【００４８】
ナビゲーションシステム１１から取得した道路情報に基づいて、車両が走行することができる走行可能領域及び車両が走行することができない走行不可領域Ｉが、単位領域に１ずつ数値を書き込むことによって検知・推定対象領域マップ上に配置される。車々間通信可能な先頭車両ＶＦ、追従車両ＶＭ及び後尾車両ＶＢの位置が車々間通信により取得され、この車両が占めている領域が、単位領域に１ずつ数値を書き込むことによって検知・推定対象領域マップ上に配置される。先頭車両ＶＦ、追従車両ＶＭ及び後尾車両ＶＢの周辺監視センサ１０の検知可能領域Ｄと、検知可能領域Ｄ内で直接検知された車群に属さない他車両等の障害物の占めている領域が、単位領域に１ずつ数値を書き込むことによって検知・推定対象領域マップ上に配置される。
【００４９】
本実施形態では、ＥＣＵ２０の物体推定部２４は、通信機１４により受信された他車両に搭載されている周辺監視センサ１０の検知可能領域Ｄと、自車両に搭載されている周辺監視センサ１０の検知可能領域Ｄと、走行不可領域Ｉとによって囲まれた不感閉領域が形成されるときに、該不感閉領域に対する車両の出入りを継続的に管理することにより、周辺監視センサ１０で直接検知することができない不感閉領域内の車両の台数を継続して推定する。
【００５０】
以下の手順にしたがって、周辺監視センサ１０の検知可能領域Ｄの重複度分布が求められる。図２に示すように、重複度算出部２２は、上記の検知・推定対象マップを一旦リセットし、上記２バイト当たり１０ｃｍ四方の正方形の単位領域により構成された横５０ｍ縦２００ｍの領域における単位領域に書き込んだ全ての数値を０とする（Ｓ１０２）。
【００５１】
重複度算出部２２は、ナビゲーションシステム１１から取得した道路情報に基づいて、車群周辺の走行可能領域を取得し、走行可能領域に属する各々の単位領域の数値を１だけ増加させることによって走行可能領域を検知・推定対象マップに配置する（Ｓ１０３）。
【００５２】
重複度算出部２２は、先頭車両ＶＦ、追従車両ＶＭ及び後尾車両ＶＢの位置が通信機１４による車々間通信により取得され、この車両が占めている領域に属する各々の単位領域の数値を１だけ増加させることによって各車両の占めている領域を検知・推定対象マップに配置する（Ｓ１０４）。
【００５３】
重複度算出部２２は、先頭車両ＶＦ、追従車両ＶＭ及び後尾車両ＶＢそれぞれの周辺監視センサ１０の検知可能領域Ｄが通信機１４による車々間通信により取得され、この検知可能領域Ｄに属する各々の単位領域の数値を１だけ増加させることによって検知可能領域Ｄを検知・推定対象マップに配置する（Ｓ１０５）。これにより、検知・推定対象マップには、取得した情報量の多少に応じた数字が単位領域ごとに書き込まれ、検知・推定対象マップにおける重複度分布（情報の冗長度の分布）が求められる。図４の例では、先頭車両ＶＦ、追従車両ＶＭ及び後尾車両ＶＢそれぞれの検知可能領域Ｄが他の検知可能領域Ｄと重複していない領域を重複度Ｌ１とすると、追従車両ＶＭの右側方及び後方に検知可能領域Ｄ同士が二重に重複した重複度Ｌ２の領域が存在し、追従車両ＶＭの右側方に検知可能領域Ｄ同士が三重に重複した重複度Ｌ３の領域が存在する。
【００５４】
以下の手順にしたがって、時間平均重複度が求められる。重複度算出部２２は、ステップＳ１０１〜Ｓ１０５で求めた検知・推定対象マップにおける重複度分布の各々の単位領域に書き込んだ全ての数値を検知・推定対象マップ全面にわたって平均化し、領域平均重複度とする（Ｓ１０６）。
【００５５】
重複度算出部２２は、先頭車両ＶＦ、追従車両ＶＭ及び後尾車両ＶＢそれぞれの走行計画生成装置１の走行計画生成部２６で生成される走行計画、周辺監視センサ１０により検知された各々の車両の動作等に基づき、車群を構成する各車両の単位時間（例えば１秒）後の状態を推定する（Ｓ１０７）。
【００５６】
重複度算出部２２は、規定時間（例えば１０秒）に達するまで、推定された単位時間後の各車両の状態について、上述したように単位時間後ごとに領域平均重複度を求める（Ｓ１０６〜Ｓ１０８）。重複度算出部２２は、規定時間までの全ての領域平均重複度の時間軸での平均を求めて時間平均重複度を求める（Ｓ１０９）。
【００５７】
以下の手順にしたがって、車群を形成する先頭車両ＶＦ、追従車両ＶＭ及び後尾車両ＶＢごとの平均重複度が求められる。重複度算出部２２は、まず、車両ごとの総情報量を示す重複度合計値を初期化して０とする（Ｓ１１０）。重複度算出部２２は、一の車両について、車両の占有領域におけるステップＳ１０１〜Ｓ１０５で求めた重複度分布値の全てを、重複度合計値に加算する（Ｓ１１１）。重複度算出部２２は、当該車両に搭載されている周辺監視センサ１０の検知可能領域ＤにおけるステップＳ１０１〜Ｓ１０５で求めた重複度分布値の全てを、重複度合計値に加算する（Ｓ１１２）。重複度算出部２２は、重複度合計値を、当該車両の占有領域及び検知可能領域Ｄの面積で除算することにより、平均重複値を求める（Ｓ１１３）。重複度算出部２２は、車群を形成する先頭車両ＶＦ、追従車両ＶＭ及び後尾車両ＶＢの全ての車両について、ステップＳ１１０〜Ｓ１１３の処理を行う（Ｓ１１４）。
【００５８】
図３に示すように、走行計画生成装置１は、上記のようにして求めた重複度分布の高い領域から順番に以下の処理を実施し、検知・推定対象マップの領域全体の重複度を低下させる走行計画を生成する。
【００５９】
仮走行計画生成部２５は、検知・推定対象マップ内の全領域の中で最も重複度の高い領域である最高重複度地点を求める（Ｓ１１５）。図４の例では、重複度Ｌ３となる追従車両ＶＭの右側方の地点が最高重複度地点となる。仮走行計画生成部２５は、最高重複度地点を車両の占有領域又は検知可能領域Ｄに含む先頭車両ＶＦ、追従車両ＶＭ及び後尾車両ＶＢのいずれかの中で、上記ステップＳ１１０〜Ｓ１１４で求めた平均重複度が最も高い車両を選択する（Ｓ１１６）。
【００６０】
仮走行計画生成部２５は、平均重複度が最も高い車両の走行計画に関して、最高重複度地点を通過しないような仮走行計画を生成する（Ｓ１１７）。具体的には、仮走行計画生成部２５は、平均重複度が最も高い車両の前方が最高重複度地点であれば減速を行う走行計画を生成し、平均重複度が最も高い車両の左側方が最高重複度地点であれば右側に車線変更をする走行計画を生成する。例えば、図４の例では、先頭車両ＶＦは加速Ａを行い、後尾車両ＶＢは減速Ｓを行う。
【００６１】
走行計画生成部２６は、仮走行計画生成部２５が生成した仮走行計画に対して安全上の評価を確認し、評価値が安全基準値を満たさない場合は、当該仮走行計画を破棄し、以下のステップＳ１１９〜Ｓ１２０を行わない（Ｓ１１８）。
【００６２】
走行計画生成部２６は、仮走行計画により車両が走行した場合を仮定して、上述のステップＳ１０６〜Ｓ１０９の処理を行い、仮走行計画についての仮時間平均重複度を算出する（Ｓ１１９）。走行計画生成部２６は、仮時間平均重複度が時間平均重複度を下回った場合には（Ｓ１２０）、当該仮走行計画を採用する（Ｓ１２１）。
【００６３】
仮走行計画生成部２５及び走行計画生成部２６は、先頭車両ＶＦ、追従車両ＶＭ及び後尾車両ＶＢのいずれかの中で平均重複度の高い車両から順番に上述のステップＳ１１７〜Ｓ１２１を実行する（Ｓ１２２）。仮走行計画生成部２５及び走行計画生成部２６は、検知・推定対象マップの全領域の中で最も重複度の高い領域から順番に上述のステップＳ１１６〜Ｓ１２２の処理を繰り返す（Ｓ１２３）。
【００６４】
（処理手順２−新たな不感閉領域を生成させる際の動作）
以下、本実施形態の走行計画生成装置における新たな不感閉領域を生成させる際の動作について説明する。
【００６５】
図５及び図６は、実施形態に係る走行計画生成装置による新たな不感閉領域を生成させる際の動作を示すフロー図である。図７は、実施形態に係る走行計画生成装置による新たな不感閉領域を生成させる際の動作を示す平面図である。図７に示すように、周辺監視センサ１０等からなる本実施形態の走行計画生成装置１が搭載された先頭車両ＶＦ及び追従車両ＶＭが、車両が走行することのできない走行不可領域Ｉを両側に有する道路を進行方向ｌに沿って車群をなして走行している。以下の走行計画の生成は、先頭車両ＶＦ及び追従車両ＶＭに搭載された走行計画生成装置１のいずれかが、他の車両の周辺監視センサ１０等の検知結果に基づいて車群を代表して行う。
【００６６】
図５に示すように、前提として、上述の処理手順１のステップ１０１と同様の処理により、先頭車両ＶＦ及び追従車両ＶＭの周辺監視センサ１０による検知情報が継続管理されている（Ｓ２０１）。図７の例では、検知・推定対象マップにおいて、先頭車両ＶＦの後方及び追従車両ＶＭの左前方に、それぞれの周辺監視センサ１０の検知可能領域Ｄ及び走行不可領域Ｉのいずれかによって囲まれている領域である不感閉領域Ａｃが形成されている。ＥＣＵ２０の物体推定部２４は、当該不感閉領域Ａｃに対する車両の出入りを継続的に管理することにより、周辺監視センサ１０で直接検知することができない不感閉領域内の車両の台数を継続して推定する。一方、検知・推定対象マップにおいて、先頭車両ＶＦの前方、右側方及び追従車両ＶＭの右前方には、それぞれの周辺監視センサ１０の検知可能領域Ｄ及び走行不可領域Ｉのいずれによっても囲まれていない不感開領域Ａｏが形成されている。
【００６７】
以下の手順にしたがって、時間平均不感開領域面積が求められる。開領域・閉領域取得部２３は、その時点での不感開領域Ａｏの面積である不感開領域面積を求める（Ｓ２０２）。開領域・閉領域取得部２３は、先頭車両ＶＦ及び追従車両ＶＭそれぞれの走行計画生成装置１の走行計画生成部２６で生成される走行計画、周辺監視センサ１０により検知された各々の車両の動作等に基づき、車群を構成する各車両の単位時間（例えば１秒）後の状態を推定する（Ｓ２０３）。
【００６８】
開領域・閉領域取得部２３は、規定時間（例えば１０秒）に達するまで、推定された単位時間後の各車両の状態について、上述したように単位時間後ごとに不感開領域面積を求める（Ｓ２０２〜Ｓ２０４）。開領域・閉領域取得部２３は、規定時間までの全ての不感開領域面積の時間軸での平均を求めて時間平均不感開領域面積を求める（Ｓ２０５）。
【００６９】
開領域・閉領域取得部２３は、不感開領域Ａｃの境界線に従って以下の処理を繰り返し行い、分断候補線とその分断効果率を算出する。開領域・閉領域取得部２３は、不感開領域Ａｃの境界線のいずれかの端点を分断開始点として選択する（Ｓ２０６）。また、開領域・閉領域取得部２３は、不感開領域Ａｃの境界線のいずれかの端点を分断終了点として同様に選択する（Ｓ２０７）。開領域・閉領域取得部２３は、分断開始点と分断終了点とを結んで分断候補線ｄとし、検知可能領域Ｄ、走行不可領域Ｉ及び分断候補線ｄのいずれかによって囲まれる領域を新不感閉領域として導出する（Ｓ２０８）。
【００７０】
開領域・閉領域取得部２３は、新不感閉領域が規定値以下の面積（例えば１０ｍ２以下）であれば、分断候補線ｄの対象外とし、以下のステップＳ２１０〜Ｓ２１１を行わない（Ｓ２０９）。開領域・閉領域取得部２３は、新不感閉領域の面積をステップＳ２０８で結んだ分断候補線ｄの長さで除算したものを分断効果率として算出する（Ｓ２１０）。開領域・閉領域取得部２３は、分断効果率が規定値（例えば１など）未満のものは（Ｓ２１１）、分断候補線ｄの対象外とする（Ｓ２１２）。開領域・閉領域取得部２３は、不感開領域Ａｃの境界線上の全ての点に関して、分断開始点と分断終了点の全ての組合せに対して上述のステップＳ２０６〜Ｓ２１２の処理を繰り返し二重ループとなるように実施する（Ｓ２１３）。
【００７１】
仮走行計画生成部２５及び走行計画生成部２６は、全ての分断候補線ｄに関して、分断効果率の高い順番に以下の処理を行い、不感開領域Ａｏを効率良く分断して新たな不感閉領域を生成させることができる車群の走行計画を生成する。
【００７２】
図６に示すように、仮走行計画生成部２５は、先頭車両ＶＦ及び追従車両ＶＭのいずれかの内で分断候補線ｄに最も近い車両を選択する（Ｓ２１４）。仮走行計画生成部２５は、不感開領域Ａｏを分断して新たな不感閉領域を生成させることができる仮走行計画を生成する（Ｓ２１５）。具体的には、仮走行計画生成部２５は、例えば、当該車両の後方に分断候補線ｄがあれば減速を実施する仮走行計画を生成し、当該車両の左側方に分断候補線ｄがあれば左側に車線変更を行う仮走行計画を生成する。図７の例では、先頭車両ＶＦの右側方に分断候補線ｄがあるため、仮走行計画生成部２５は、先頭車両ＶＦに右側に車線変更Ｃを行わせる仮走行計画を生成する。
【００７３】
走行計画生成部２６は、仮走行計画生成部２５が生成した仮走行計画に対して安全上の評価を確認し、評価値が安全基準値を満たさない場合は、当該仮走行計画を破棄し、以下のステップＳ２１７〜Ｓ２１９を行わない（Ｓ２１６）。
【００７４】
走行計画生成部２６は、仮走行計画により車両が走行した場合を仮定して、上述のステップＳ２０２〜Ｓ２０５の処理を行い、仮走行計画についての仮時間平均不感開領域面積を算出する（Ｓ２１７）。走行計画生成部２６は、仮時間平均不感開領域面積が時間平均不感開領域面積を下回った場合には（Ｓ２１８）、当該仮走行計画を採用する（Ｓ２１９）。
【００７５】
仮走行計画生成部２５及び走行計画生成部２６は、先頭車両ＶＦ及び追従車両ＶＭのいずれかの中で分断候補線ｄに近い車両から順番に上述のステップＳ２１５〜Ｓ２１９を実行する（Ｓ２２０）。仮走行計画生成部２５及び走行計画生成部２６は、全ての分断候補線ｄの中から分断効果率の高いものから順番に上述のステップＳ２１４〜Ｓ２２０の処理を繰り返す（Ｓ２２１）。
【００７６】
（処理手順３−不感閉領域に存在する物体の推定誤差を減少させるための動作）
以下、本実施形態の走行計画生成装置における不感閉領域に存在する物体の推定誤差を減少させるための動作について説明する。
【００７７】
図８は、実施形態に係る走行計画生成装置による不感閉領域に存在する物体の推定誤差を減少させるための動作を示すフロー図である。図９は、実施形態に係る走行計画生成装置による不感閉領域に存在する物体の推定誤差を減少させるための動作を示す平面図である。図９に示すように、周辺監視センサ１０等からなる本実施形態の走行計画生成装置１が搭載された先頭車両ＶＦ、追従車両ＶＭ及び後尾車両ＶＢが、車両が走行することのできない走行不可領域Ｉを両側に有する道路を進行方向ｌに沿って車群をなして走行している。以下の走行計画の生成は、先頭車両ＶＦ、追従車両ＶＭ及び後尾車両ＶＢに搭載された走行計画生成装置１のいずれかが、他の車両の周辺監視センサ１０等の検知結果に基づいて車群を代表して行う。
【００７８】
図８に示すように、前提として、上述の処理手順１のステップ１０１と同様の処理により、先頭車両ＶＦ及び追従車両ＶＭの周辺監視センサ１０による検知情報が継続管理されている（Ｓ３０１）。図９の例では、検知・推定対象マップにおいて、先頭車両ＶＦ及び追従車両ＶＭの間に不感閉領域Ａｃ１，Ａｃ２が形成され、追従車両ＶＭ及び後尾車両ＶＢの間に不感閉領域Ａｃ３，Ａｃ４が形成されている。ＥＣＵ２０の物体推定部２４は、当該不感閉領域Ａｃ１〜Ａｃ４に対する車両の出入りを継続的に管理することにより、周辺監視センサ１０で直接検知することができない不感閉領域内の車両の台数を継続して推定する。
【００７９】
以下の手順にしたがって、時間平均不感閉領域推定誤差が求められる。物体推定部２４は、その時点での不感閉領域Ａｃ１〜Ａｃ４内に存在する障害物の推定誤差である不感閉領域推定誤差を求める（Ｓ３０２）。具体的には、物体推定部２４は、全ての不感閉領域Ａｃ１〜Ａｃ４の推定誤差（推定存在最大車両台数と推定存在最小台数の差）の平均を求める。
【００８０】
物体推定部２４は、先頭車両ＶＦ、追従車両ＶＭ及び後尾車両ＶＢそれぞれの走行計画生成装置１の走行計画生成部２６で生成される走行計画、周辺監視センサ１０により検知された各々の車両の動作等に基づき、車群を構成する各車両の単位時間（例えば１秒）後の状態を推定する（Ｓ３０３）。
【００８１】
物体推定部２４は、規定時間（例えば１０秒）に達するまで、推定された単位時間後の各車両の状態について、上述したように単位時間後ごとに不感閉領域推定誤差を求める（Ｓ３０２〜Ｓ３０４）。物体推定部２４は、規定時間までの全ての不感閉領域推定誤差の時間軸での平均を求めて時間平均不感閉領域推定誤差を求める（Ｓ３０５）。
【００８２】
仮走行計画生成部２５及び走行計画生成部２６は、全ての不感閉領域Ａｃ１〜Ａｃ４に関して、推定誤差の大きい順番に以下の処理を行い、推定誤差を最小にできる車群の走行計画を生成する。
【００８３】
仮走行計画生成部２５は、不感閉領域Ａｃ１〜Ａｃ４の内のいずれかの不感閉領域の内で最も推定誤差の大きい不感閉領域について、先頭車両ＶＦ、追従車両ＶＭ及び後尾車両ＶＢのいずれかの内で当該不感閉領域に最も近い車両を選択する（Ｓ３０６）。図９の例では、不感閉領域Ａｃ１が最も推定誤差が大きい不感閉領域となる。仮走行計画生成部２５は、推定誤差を小さくすることができる仮走行計画を生成する（Ｓ３０７）。具体的には、仮走行計画生成部２５は、例えば、当該車両の後方に不感閉領域があれば減速を実施する仮走行計画を生成し、当該車両の左側方に不感閉領域があれば左側に車線変更を行う仮走行計画を生成する。図９の例では、追従車両ＶＭの左側方に不感閉領域Ａｃ１があるため、仮走行計画生成部２５は、追従車両ＶＭに左側に車線変更Ｃを行わせる仮走行計画を生成する。
【００８４】
走行計画生成部２６は、仮走行計画生成部２５が生成した仮走行計画に対して安全上の評価を確認し、評価値が安全基準値を満たさない場合は、当該仮走行計画を破棄し、以下のステップＳ３０９〜Ｓ３１１を行わない（Ｓ３０８）。
【００８５】
走行計画生成部２６は、仮走行計画により車両が走行した場合を仮定して、上述のステップＳ３０２〜Ｓ３０５の処理を行い、仮走行計画についての仮時間平均不感閉領域推定誤差を算出する（Ｓ３０９）。走行計画生成部２６は、仮時間平均不感閉領域推定誤差が時間平均不感閉領域推定誤差を下回った場合には（Ｓ３１０）、当該仮走行計画を採用する（Ｓ３１１）。
【００８６】
仮走行計画生成部２５及び走行計画生成部２６は、先頭車両ＶＦ、追従車両ＶＭ及び後尾車両ＶＢのいずれかの中で当該不感閉領域に近い車両から順番に上述のステップＳ３０７〜Ｓ３１１を実行する（Ｓ３１２）。仮走行計画生成部２５及び走行計画生成部２６は、全ての不感閉領域の中から推定誤差の大きいものから順番に上述のステップＳ３０６〜Ｓ３１２の処理を繰り返す（Ｓ３１３）。
【００８７】
（処理手順４−実施形態に係る走行計画生成装置によるインフラセンサ通過後の不感閉領域に存在する物体の推定誤差を減少させるための動作）
以下、本実施形態の走行計画生成装置におけるインフラセンサ通過後の不感閉領域に存在する物体の推定誤差を減少させるための動作について説明する。
【００８８】
図１０は、実施形態に係る走行計画生成装置によるインフラセンサ通過後の不感閉領域に存在する物体の推定誤差を減少させるための動作を示すフロー図である。図１１は、実施形態に係る走行計画生成装置によるインフラセンサ通過後の不感閉領域に存在する物体の推定誤差を減少させるための動作を示す平面図である。図１１に示すように、周辺監視センサ１０等からなる本実施形態の走行計画生成装置１が搭載された先頭車両ＶＦ及び追従車両ＶＭが、車両が走行することのできない走行不可領域Ｉを両側に有する道路を進行方向ｌに沿って車群をなして走行している。以下の走行計画の生成は、先頭車両ＶＦ及び追従車両ＶＭに搭載された走行計画生成装置１のいずれかが、他の車両の周辺監視センサ１０等の検知結果に基づいて車群を代表して行う。
【００８９】
図１１に示すように、前提として、上述の処理手順１のステップ１０１と同様の処理により、先頭車両ＶＦ及び追従車両ＶＭの周辺監視センサ１０による検知情報が継続管理されている（Ｓ４０１）。ＥＣＵ２０の物体推定部２４は、先頭車両ＶＦ及び追従車両ＶＭの周辺監視センサ１０の検知可能領域Ｄと走行不可領域Ｉとによって囲まれた不感閉領域が形成されるときに、該不感閉領域に対する車両の出入りを継続的に管理することにより、周辺監視センサ１０で直接検知することができない不感閉領域内の車両の台数を継続して推定する。図１１の例では、先頭車両ＶＦ及び追従車両ＶＭからなる車群は、道路インフラセンサＳの近傍を通過しつつある。
【００９０】
検知領域取得部２１は、道路インフラセンサＳの検知可能領域（道路センサ検知可能領域）Ｄを、通信機１４によりインフラセンサＳから取得する（Ｓ４０２）。あるいは、検知領域取得部２１は、道路インフラセンサＳの検知可能領域Ｄを、ナビゲーションシステム１１から取得する。
【００９１】
以下の手順にしたがって、道路インフラセンサＳの通過以降の時間平均不感領域推定誤差が求められる。物体推定部２４は、先頭車両ＶＦ及び追従車両ＶＭそれぞれの走行計画生成装置１の走行計画生成部２６で生成される走行計画、周辺監視センサ１０により検知された各々の車両の動作等に基づき、道路インフラセンサＳの検知可能領域Ｄを車群の先頭車両ＶＦが通過した直後の車群を構成する各車両の状態を推定する（Ｓ４０３）。
【００９２】
物体推定部２４は、道路インフラセンサＳの検知可能領域Ｄを車群の先頭車両ＶＦが通過した直後の時点において、先頭車両ＶＦ及び追従車両ＶＭの周辺監視センサ１０の検知可能領域Ｄ、道路インフラセンサＳの検知可能領域Ｄ、及び走行不可領域Ｉのいずれかによって囲まれた不感閉領域が形成されるときに、当該不感領域内に存在する障害物の推定誤差である不感閉領域推定誤差を求める（Ｓ４０４）。具体的には、物体推定部２４は、全ての不感閉領域の推定誤差（推定存在最大車両台数と推定存在最小台数の差）の平均を求める。
【００９３】
物体推定部２４は、規定時間（例えば１０秒）に達するまで、推定された単位時間（例えば１秒）後の各車両の状態について、上述したように単位時間後ごとに不感閉領域推定誤差を求める（Ｓ４０３〜Ｓ４０５）。物体推定部２４は、規定時間までの全ての不感閉領域推定誤差の時間軸での平均を求めて時間平均不感閉領域推定誤差を求める（Ｓ４０６）。
【００９４】
仮走行計画生成部２５及び走行計画生成部２６は、道路インフラセンサＳの検知可能領域Ｄを車群の先頭車両ＶＦが通過した後に形成される全ての不感閉領域に関して、道路インフラセンサＳの検知可能領域Ｄと重なるか否かを判定し、道路インフラセンサＳの検知可能領域Ｄ外となる不感閉領域を以下の処理の対象外とする（Ｓ４０７）。
【００９５】
仮走行計画生成部２５及び走行計画生成部２６は、ステップＳ４０７の処理で残った全ての不感閉領域に対し、処理手順３のステップＳ３０６〜Ｓ３１３と同様にして、道路インフラセンサＳの通過後の推定誤差を最小にすることができる走行計画を生成する（Ｓ４０８）。なお、この場合の時間平均不感閉領域推定誤差の算出は、上述したステップＳ４０３〜Ｓ４０５の処理により行われる。図１１の例では、走行計画生成部２６は、道路インフラセンサＳのある右方向に推定誤差をより少なくする不感閉領域を生成するために、先頭車両ＶＦに右方向への車線変更を行わせるための走行計画を生成する。
【００９６】
本実施形態では、検知領域取得部２１は複数の車両に各々搭載された周辺監視センサ１０それぞれの検知可能領域Ｄを取得し、走行計画生成部２６は検知領域取得部２１が取得した複数の車両に各々搭載された周辺監視センサ１０それぞれの検知可能領域Ｄに応じて、複数の車両それぞれの走行計画を生成するため、周辺監視センサ１０を搭載した各々の車両は検知可能領域Ｄに応じて走行することになり、障害物の存在を推定する精度を向上させることが可能となる。
【００９７】
また、仮走行計画生成部２５は複数の車両それぞれの仮走行計画を生成し、走行計画生成部２６は、仮走行計画生成部２５が生成した仮走行計画について、検知領域取得部２１が取得した複数の車両に各々搭載された周辺監視センサ１０それぞれの検知可能領域Ｄに応じて評価を行い、評価の結果が予め定められた基準を満たす仮走行計画を走行計画とするため、走行計画生成部２６は検知可能領域Ｄに応じた評価の基準を満たす良好な走行計画を採用することになり、さらに障害物の存在を推定する精度を向上させることが可能となる。
【００９８】
さらに、走行計画生成部２６は、検知可能領域Ｄ及び不感閉領域からの情報に基づいて、検知可能領域Ｄ及び不感閉領域のいずれかが拡大される仮走行計画を走行計画とするため、周辺監視センサ１０により障害物を直接的又は間接的に検知することができる可能性が高くなり、障害物の存在を推定する精度を向上させることが可能となる。
【００９９】
一方、重複度算出部２２は複数の車両に各々搭載された周辺監視センサ１０それぞれの検知可能領域Ｄ同士の重複度を算出し、走行計画生成部２６は、重複度算出部２２が算出した検知可能領域Ｄ同士の重複度に応じて、複数の車両それぞれの走行計画を生成するため、周辺監視センサ１０を搭載した各々の車両は検知可能領域Ｄ同士の重複度に応じて走行することが可能となる。
【０１００】
特に、走行計画生成部２６は、重複度算出部２２が算出した検知可能領域Ｄ同士の重複度を減少させる走行計画を生成するため、各車両の周辺監視センサ１０の検知可能領域Ｄ同士の重複する部分が少なくなる走行計画を生成することが可能となり、各車両の周辺監視センサ１０によって直接に障害物を検出することができる領域が拡大される。
【０１０１】
一方、開領域・閉領域取得部２３は複数の車両に各々搭載された周辺監視センサ１０それぞれの検知可能領域Ｄ及び車両が走行することのできない走行不可領域Ｉのいずれかによって囲まれていない不感開領域Ａｏを取得し、走行計画生成部２６は、不感開領域Ａｏの少なくとも一部を、周辺監視センサ１０それぞれの検知可能領域Ｄ及び車両が走行することのできない走行不可領域Ｉのいずれかによって囲まれている不感閉領域Ａｃとする走行計画を生成するため、障害物の存在を推定することが不可能な不感開領域Ａｏを減少させ、障害物の存在を推定することが可能な不感閉領域Ａｃとする走行計画を生成することが可能となり、障害物の存在を推定することができる領域を拡大することができる。
【０１０２】
また、物体推定部２４は、複数の車両に各々搭載された周囲監視センサ１０それぞれの検知可能領域Ｄ及び車両が走行することのできない走行不可領域Ｉのいずれかによって囲まれている不感閉領域Ａｃ内に存在する障害物を推定すると共に、推定の推定誤差を取得して、走行計画生成部２６は、物体推定部２４が取得した推定誤差に応じて、複数の車両それぞれの走行計画を生成するため、障害物の存在の推定誤差を考慮した走行計画を生成することが可能となる。
【０１０３】
特に、走行計画生成部２６は、物体推定部２４が取得した推定誤差を減少させる走行計画を生成するため、周囲監視センサ１０による障害物の存在の推定誤差を考慮した走行計画を生成することが可能となり、障害物の存在を推定する精度を向上させることが可能となる。
【０１０４】
一方、検知領域取得部２１は車両が走行する道路上に存在する障害物を検知する道路インフラセンサＳの検知可能領域Ｄを取得し、走行計画生成部２６は、検知領域取得部２１が取得した検知可能領域Ｄに応じて、複数の車両それぞれの走行計画を生成するため、道路インフラセンサＳの検知可能領域Ｄも考慮した走行計画を生成することが可能となる。
【０１０５】
特に、物体推定部２４は複数の車両に各々搭載された周囲監視センサ１０それぞれの検知可能領域Ｄ、道路インフラセンサＳの検知可能領域Ｄ及び車両が走行することのできない走行不可領域Ｉのいずれかによって囲まれている不感閉領域に存在する障害物を推定すると共に推定の推定誤差を取得して、走行計画生成部２６は、物体推定部２４が取得した推定誤差を減少させる走行計画を生成するため、道路インフラセンサＳによる障害物の存在の推定誤差を考慮した走行計画を生成することが可能となり、障害物の存在を推定する精度を向上させることが可能となる。
【０１０６】
さらに、本実施形態では、検知可能領域Ｄの重複度、推定誤差が大きい領域に属する車両から順番に当該状況を回避する走行計画が生成され、検知可能領域Ｄの重複度、推定誤差が大きい領域に対して順番に当該状況を回避する走行計画が生成されるため、効率良く、障害物の存在を推定する精度を向上させるための走行計画を生成し、実際に車群を形成する車両に実行させることができる。
【０１０７】
加えて、本実施形態によれば、各々の車両が本実施形態の走行計画生成装置１を搭載することにより、互いに車両等の障害物を検知する精度が向上する走行計画により車群を形成して走行することが可能となる。このため、本実施形態の走行計画生成装置１によれば、単に互いの走行計画を生成するだけの装置に比べて、安全性の向上のために車両同士が互いに車群を形成して走行する動機付けを高めることができる。
【０１０８】
以上、本発明の実施の形態について説明したが、本発明は、上記実施形態に限定されるものではなく種々の変形が可能である。例えば、上記実施形態においては、走行計画生成装置は、車群に属する全車両についての走行計画を生成したが、本発明はこれに限定されることはなく、走行計画生成装置が車群における一台の車両の走行計画のみを生成するものも本発明の範囲に含まれ、効果を奏するものである。
【図面の簡単な説明】
【０１０９】
【図１】実施形態に係る走行計画生成装置の構成を示すブロック図である。
【図２】実施形態に係る走行計画生成装置による検知可能領域同士の重複度を減少させる際の動作を示すフロー図である。
【図３】実施形態に係る走行計画生成装置による検知可能領域同士の重複度を減少させる際の動作を示すフロー図である。
【図４】実施形態に係る走行計画生成装置による検知可能領域同士の重複度を減少させる際の動作を示す平面図である。
【図５】実施形態に係る走行計画生成装置による新たな不感閉領域を生成させる際の動作を示すフロー図である。
【図６】実施形態に係る走行計画生成装置による新たな不感閉領域を生成させる際の動作を示すフロー図である。
【図７】実施形態に係る走行計画生成装置による新たな不感閉領域を生成させる際の動作を示す平面図である。
【図８】実施形態に係る走行計画生成装置による不感閉領域に存在する物体の推定誤差を減少させるための動作を示すフロー図である。
【図９】実施形態に係る走行計画生成装置による不感閉領域に存在する物体の推定誤差を減少させるための動作を示す平面図である。
【図１０】実施形態に係る走行計画生成装置によるインフラセンサ通過後の不感閉領域に存在する物体の推定誤差を減少させるための動作を示すフロー図である。
【図１１】実施形態に係る走行計画生成装置によるインフラセンサ通過後の不感閉領域に存在する物体の推定誤差を減少させるための動作を示す平面図である。
【符号の説明】
【０１１０】
１…走行計画生成装置、１０…周辺監視センサ、１１…ナビゲーションシステム、１２…ＧＰＳ、１３…地図情報記憶装置、１４…通信機、２０…ＥＣＵ、２１…検知領域取得部、２２…重複度算出部、２３…開領域・閉領域取得部、２４…物体推定部、２５…仮走行計画生成部、２６…走行計画生成部、３０…アクチュエータ。
【図１】
0004396743.tif 000002
【図２】
0004396743.tif 000003
【図３】
0004396743.tif 000004
【図４】
0004396743.tif 000005
【図５】
0004396743.tif 000006
【図６】
0004396743.tif 000007
【図７】
0004396743.tif 000008
【図８】
0004396743.tif 000009
【図９】
0004396743.tif 000010
【図１０】
0004396743.tif 000011
【図１１】
0004396743.tif 000012